(57)【特許請求の範囲】
【請求項１】
車両前後方向にスライド可能なスライドテーブルと、前記スライドテーブル上で水平回転可能な回転テーブルと、前記回転テーブル上で車室内から車室外までシート本体をシート前後方向にスライド可能に支持するシートスライド機構と備え、前記シート本体を車両前向きの着座位置と車両横向きの乗降位置間で移動できるように構成された車両用シートであって、
前記スライドテーブル、あるいは車両フロア上の固定ベースに設けられた被係合部と、
前記シート本体、あるいはシートスライド機構に設けられ、前記シート本体が車両前向きの着座位置にあるときに前記被係合部に対して前記シート本体の前進方向において係合する係合部と、
前記係合部と被係合部との係合を解除する係合解除機構とを備えており、
前記係合解除機構は、前記スライドテーブルがシート原位置から所定位置まで後退することで前記係合部を係合解除位置まで移動させる車両用シート。
【請求項２】
請求項１に記載された車両用シートであって、
前記被係合部は、前記スライドテーブルに設けられており、
前記係合部は、前記シート本体に設けられている車両用シート。
【請求項３】
請求項１又は請求項２のいずれかに記載された車両用シートであって、
前記係合部は、先端に鉤部を備えるフックで、そのフックの基端部が前記シート本体に対して上下回動可能な状態で連結されており、
前記被係合部は、前記スライドテーブルに設けられた横軸状のストライカであり、
前記フックが弾性力により前記シート本体に対して係合方向に回動することで、前記鉤部の掛かり面の先端が前記ストライカの外周面の後端位置から前記外周面に沿って前方に移動し、前記フックは、前記ストライカと前記シート本体の前進方向において係合する車両用シート。
【請求項４】
請求項１から請求項３のいずれかに記載された車両用シートであって、
前記係合解除機構は、バネ力で前記被係合部との係合位置に保持された前記係合部を前記スライドテーブルの後退に連動して前記バネ力に抗して係合解除位置まで移動させる車両用シート。
【請求項５】
請求項４に記載された車両用シートであって、
前記係合部は、先端に鉤部を備えるフックで、そのフックの基端部が前記シート本体に対して上下回動可能な状態で連結されており、
前記係合解除機構は、
前記スライドテーブルに上下回動可能な状態で設けられており、前記フックを係合解除方向に回動させる係合解除ブラケットと、
前記係合解除ブラケットに設けられたカムフォロアと、
前記車両フロア側に設けられており、前記係合解除ブラケットのカムフォロアが摺動可能なカム面を備えるカムプレートとを有しており、
前記スライドテーブルが所定位置まで後退する際に、前記係合解除ブラケットのカムフォロアが前記カムプレートのカム面に沿って摺動することで、前記係合解除ブラケットが回動して前記フックを係合解除位置まで移動させる車両用シート。
【請求項６】
請求項１から請求項５のいずれかに記載された車両用シートであって、
前記回転テーブル上のシートスライド機構は、前記シート本体を昇降させる四節リンク機構を前記回転テーブルに対してシート前後方向にスライドさせる昇降スライド機構と、前記四節リンク機構の先端位置に設けられた昇降ベース上で、前記シート本体を前記昇降ベースに対してシート前後方向にスライドさせる外スライド機構とを備えている車両用シート。
【請求項７】
請求項１から請求項６のいずれかに記載された車両用シートであって、
前記係合部は、前記シート本体においてシートベルトの基端部が連結されるベルト用ブラケットに上下回動可能な状態で連結されている車両用シート。
【請求項８】
請求項３から請求項７のいずれかに記載された車両用シートであって、
前記係合部は、先端に鉤部を備えるフックで、そのフックの基端部が前記シート本体に対して上下回動可能な状態で連結されており、
前記フックの鉤部の先端側には傾斜面が形成されており、
前記シート本体が車両前向きの着座位置まで後退する際、前記フックの鉤部の傾斜面が前記スライドテーブルのストライカの外周面に当接して摺動することで、前記フックが係合解除方向に回動し、
前記フックの鉤部の傾斜面が前記ストライカを通過することで、前記フックが弾性力で係合方向に回動し、前記フックの鉤部が前記ストライカと係合する車両用シート。
【発明の詳細な説明】
【技術分野】
【０００１】
本発明は、シート本体を車両前向きの着座位置と車両横向きの乗降位置間で移動できるように構成された車両用シートに関する。
【背景技術】
【０００２】
上記した車両用シートに関する技術が特許文献１に示されている。特許文献１に記載された車両用シート１００には、図１７に示すように、車両前方衝突時にシート本体１０２が車両前方に移動するのを規制するスライドロック機構１２０が設けられている。スライドロック機構１２０は、シート本体１０２のシートフレーム１０３に形成された開口部１２２と、回転テーブル１１０上の四節リンク機構１１２の基端部に設けられたフック部１２４とから構成されている。フック部１２４は、上下回動可能な状態で四節リンク機構１１２の基端部に連結されており、下回動方向にバネ力を受けている。そして、四節リンク機構１１２の基端部がスライドベース１１４に連結されている。
【０００３】
フック部１２４の先端にはシートフレーム１０３の開口部１２２に上方から挿入される鉤部１２４ｋが設けられており、フック部１２４の基端部にはカムフォロア１２４ｃが設けられている。そして、フック部１２４のカムフォロア１２４ｃが回転テーブル１１０の後端位置に設けられたカム板１２５のカム面１２５ｆに当接している。
【０００４】
上記構成により、シート本体１０２が、図１７に示すように、四節リンク機構１１２、スライドベース１１４と共に原位置まで後進スライドすると、カムフォロア１２４ｃとカム面１２５ｆ、及びバネ力の働きで、フック部１２４は下方に回動する。そして、フック部１２４の鉤部１２４ｋがシートフレーム１０３の開口部１２２に上方から挿入される。これにより、例えば、車両前方衝突時にシート本体１０２が車両前方に移動すると、フック部１２４の鉤部１２４ｋがシートフレーム１０３の開口部１２２の周縁と係合し、シート本体１０２の前方移動が規制される。なお、シート本体１０２がスライドベース１１４と共に原位置から前進スライドすると、カムフォロア１２４ｃとカム面１２５ｆの働きでフック部１２４がバネ力に抗して上方に回動する。これにより、フック部１２４の鉤部１２４ｋがシートフレーム１０３の開口部１２２から抜けるようになる。
【先行技術文献】
【特許文献】
【０００５】
【特許文献１】特開２００９−６９４４号公報
【発明の概要】
【発明が解決しようとする課題】
【０００６】
上記した車両用シート１００では、シート本体１０２が原位置にある状態では、フック部１２４の鉤部１２４ｋがシートフレーム１０３の開口部１２２に挿入された状態に保持されている。そして、車両前方衝突時にシート本体１０２が車両前方に移動すると、フック部１２４の鉤部１２４ｋがシートフレーム１０３の開口部１２２の周縁と係合する。即ち、車両前方衝突時にフック部１２４の鉤部１２４ｋがシートフレーム１０３の開口部１２２の周縁と係合するまでの間、シート本体１０２は車両前方に移動するようになる。
【０００７】
本発明は、上記問題点を解決するためになされたものであり、本発明が解決しようとする課題は、車両衝突時におけるシート本体の前方移動量を最小限に抑えることである。
【課題を解決するための手段】
【０００８】
上記した課題は、各請求項の発明によって解決される。請求項１の発明は、車両前後方向にスライド可能なスライドテーブルと、前記スライドテーブル上で水平回転可能な回転テーブルと、前記回転テーブル上で車室内から車室外までシート本体をシート前後方向にスライド可能に支持するシートスライド機構と備え、前記シート本体を車両前向きの着座位置と車両横向きの乗降位置間で移動できるように構成された車両用シートであって、前記スライドテーブル、あるいは車両フロア上の固定ベースに設けられた被係合部と、前記シート本体、あるいはシートスライド機構に設けられ、前記シート本体が車両前向きの着座位置にあるときに前記被係合部に対して前記シート本体の前進方向において係合する係合部と、前記係合部と被係合部との係合を解除する係合解除機構とを備えており、前記係合解除機構は、前記スライドテーブルがシート原位置から所定位置まで後退することで前記係合部を係合解除位置まで移動させる。
【０００９】
本発明によると、シート本体が車両前向きの着座位置にあるときに、シート本体等の係合部は、スライドテーブル、あるいは固定ベースに設けられた被係合部に対して前記シート本体の前進方向において係合している。即ち、車両の衝突前であってもシート本体の係合部がスライドテーブルの被係合部と係合している。このため、車両衝突時の荷重がシート本体に加わると、シート本体が前方にほとんど移動しなくてもその衝突荷重が係合部からスライドテーブル等の被係合部に伝達され、スライドテーブル等から車両フロアに伝達される。これにより、車両衝突時におけるシート本体の前方移動量が最小限に抑えられる。また、スライドテーブルがシート原位置から所定位置まで後退することで、係合解除機構の働きによりシート本体の係合部が係合解除位置まで移動する。このため、シート本体が着座位置から乗降位置まで移動する際に、前記係合部等がシート本体の移動を妨げることがない。
【００１０】
請求項２の発明によると、被係合部は、スライドテーブルに設けられており、係合部は、前記シート本体に設けられている。
【００１１】
請求項３の発明によると、係合部は、先端に鉤部を備えるフックで、そのフックの基端部がシート本体に対して上下回動可能な状態で連結されており、被係合部は、スライドテーブルに設けられた横軸状のストライカであり、前記フックが弾性力により前記シート本体に対して係合方向に回動することで、前記鉤部の掛かり面の先端が前記ストライカの外周面の後端位置から前記外周面に沿って前方に移動し、前記フックは、前記ストライカと前記シート本体の前進方向において係合する。このため、フックの鉤部の掛かり面とストライカの外周面間の隙間を最小限にできる。
【００１２】
請求項４の発明によると、係合解除機構は、バネ力で被係合部との係合位置に保持された係合部をスライドテーブルの後退に連動して前記バネ力に抗して係合解除位置まで移動させる。
【００１３】
請求項５の発明によると、係合部は、先端に鉤部を備えるフックで、そのフックの基端部が前記シート本体に対して上下回動可能な状態で連結されており、係合解除機構は、スライドテーブルに上下回動可能な状態で設けられており、フックを係合解除方向に回動させる係合解除ブラケットと、前記係合解除ブラケットに設けられたカムフォロアと、前記車両フロア側に設けられており、前記係合解除ブラケットのカムフォロアが摺動可能なカム面を備えるカムプレートとを有しており、前記スライドテーブルが所定位置まで後退する際に、前記係合解除ブラケットのカムフォロアが前記カムプレートのカム面に沿って摺動することで、前記係合解除ブラケットが回動して前記フックを係合解除位置まで移動させる。
【００１４】
請求項６の発明によると、回転テーブル上のシートスライド機構は、シート本体を昇降させる四節リンク機構を前記回転テーブルに対してシート前後方向にスライドさせる昇降スライド機構と、前記四節リンク機構の先端位置に設けられた昇降ベース上で、前記シート本体を前記昇降ベースに対してシート前後方向にスライドさせる外スライド機構とを備えている。このため、シート本体に設けられた係合部（フック）は、外スライド機構、昇降ベース、四節リンク機構、昇降スライド機構、及び回転テーブルを跨いでスライドテーブルの被係合部（ストライカ）と係合するようになる。このため、シート本体に加わる衝突荷重を速やかに車両フロアに伝達できるようになる。
【００１５】
請求項７の発明によると、係合部は、シート本体においてシートベルトの基端部が連結されるベルト用ブラケットに上下回動可能な状態で連結されている。このため、車両衝突時にシートベルトに加わる荷重を確実に係合部（フック）に伝達できるようになる。
【００１６】
請求項８の発明によると、係合部は、先端に鉤部を備えるフックで、そのフックの基端部が前記シート本体に対して上下回動可能な状態で連結されており、フックの鉤部の先端側には傾斜面が形成されており、シート本体が車両前向きの着座位置まで後退する際、前記フックの鉤部の傾斜面が前記スライドテーブルのストライカの外周面に当接して摺動することで、前記フックが係合解除方向に回動し、前記フックの鉤部の傾斜面が前記ストライカを通過することで、前記フックが弾性力で係合方向に回動し、前記フックの鉤部が前記ストライカと係合する。即ち、シート本体が着座位置まで戻ることで、シート本体のフックが自動的にスライドテーブルのストライカと係合するようになる。
【発明の効果】
【００１７】
本発明によると、車両衝突時におけるシート本体の前方移動量を最小限にできる。
【図面の簡単な説明】
【００１８】
【図１】本発明の実施形態１に係る車両用シートの動作を表す模式平面図である。
【図２】前記車両用シートの模式背面図である。
【図３】シート本体が約90°左回転したときの車両用シートの模式側面図である。
【図４】車両用シートの外スライド機構の動作状態を表す車両用シートの模式側面図である。
【図５】車両用シートの昇降スライド装置の動作状態を表す車両用シートの模式側面図である。
【図６】前記車両用シートの固定ベースとカムプレートとを表す斜視図である。
【図７】前記車両用シートのスライドテーブルとストライカ、及び回転テーブル等を表す斜視図である。
【図８】前記スライドテーブルに設けられた係合解除ブラケットを表わす斜視図である。
【図９】前記車両用シートのシート本体におけるシートフレームとフックとを表す斜視図である。
【図１０】前記車両用シートのシート本体が着座位置にあるときのフックとストライカとの関係、及び係合解除ブラケットとカムプレートとの関係を表わす側面図である。
【図１１】図１０におけるフックとストライカとの関係を表わす拡大図である。
【図１２】前記車両用シートのスライドテーブルが原位置から後退したときのフックとストライカとの関係、及び係合解除ブラケットとカムプレートとの関係を表わす側面図である。
【図１３】前記車両用シートのスライドテーブルが原位置から後退したときのフックとストライカとの関係、及び係合解除ブラケットとカムプレートとの関係を表わす側面図である。
【図１４】前記車両用シートの昇降スライド機構によりシート本体が前進したときのフックとストライカとの関係、及び係合解除ブラケットとカムプレートとの関係を表わす側面図である。
【図１５】前記車両用シートの回転機構によりシート本体が水平回転したときのフックとストライカとの関係、及び係合解除ブラケットとカムプレートとの関係を表わす側面図である。
【図１６】前記車両用シートのスライドテーブルが原位置まで前進したときのフックとストライカとの関係、及び係合解除ブラケットとカムプレートとの関係を表わす側面図である。
【図１７】従来の車両用シートのスライドロック機構を表す模式側面図である。
【発明を実施するための形態】
【００１９】
以下、図１〜図１６に基づいて、本発明の実施形態１に係る車両用シートの説明を行なう。本実施形態に係る車両用シート１０は、図１に示すように、車両の助手席に使用されるシートであり、シート本体６０を車室内の着座位置から車室外の乗降位置まで移動できるように構成されている。ここで、図中に示す前後左右及び上下は、車両用シート１０を備える車両の前後左右及び上下に対応している。
【００２０】
＜車両用シート１０の概要について＞
車両用シート１０は、図２〜図５に示すように、車両フロアＦ上の固定ベース１２と、固定ベース１２上のスライドテーブル２０と、スライドテーブル２０上の回転テーブル３０とを備えている。また、車両用シート１０は、回転テーブル３０上に昇降スライド装置４０を備えており、昇降スライド装置４０の昇降ベース５０上にシート本体６０が外スライド機構５５を介して設置されている。そして、シート本体６０とスライドテーブル２０間に、図２等に示すように、スライドロック機構７０が設けられている。また、スライドテーブル２０と固定ベース１２とには、スライドロック機構７０のロック状態（係合状態）を解除する係合解除機構８０が設けられている。なお、図３〜図５では、スライドロック機構７０と係合解除機構８０とは省略されている。
【００２１】
＜固定ベース１２について＞
固定ベース１２は、図２〜図５に示すように、車両フロアＦ上に固定されるベースであり、スライドテーブル２０を前後スライド可能に支持できるように構成されている。固定ベース１２は、図６に示すように、車両前後方向に延びる左右のレール支持架台１３を備えており、左右のレール支持架台１３上に同じく車両前後方向に延びるスライドレール１４が設けられている。左右のスライドレール１４上には、前後一対の摺動子１４ｓがスライドレール１４に沿って摺動自在な状態で嵌合している。そして、前後左右の摺動子１４ｓが、図２等に示すように、スライドテーブル２０の下面に固定されている。
【００２２】
固定ベース１２の左右のレール支持架台１３は、図６に示すように、中央部と後部とが車幅方向に延びる横梁部１５によって連結されている。また、右側のレール支持架台１３の車幅方向内側には、スライド駆動機構１６（図２参照）の収納部１７が設けられている。スライド駆動機構１６は、台形ネジ１６ｗとナット１６ｎとの螺合作用を利用してスライドテーブル２０を前後スライドさせる機構である。スライド駆動機構１６は、図２に示すように、ナット１６ｎがスライドテーブル２０の下面に固定されており、台形ネジ１６ｗが固定ベース１２の収納部１７の軸受部１７ｊ（図６参照）に回転自在な状態で支持されている。
【００２３】
固定ベース１２の収納部１７の右側内壁面には、図６に示すように、車両前後方向における所定位置に係合解除機構８０（後記する）のカムプレート８２が前記右側内壁面に沿って固定されている。ここで、図２の模式図では、車両用シート１０の全体構成を分かり易く表示するため、係合解除機構８０のカムプレート８２を固定ベース１２の車幅方向外側に記載している。しかし、実際には、カムプレート８２は、図６に示すように、固定ベース１２の収納部１７の右側内壁面に固定されている。
【００２４】
＜スライドテーブル２０について＞
スライドテーブル２０は、車両前後方向にスライド可能に構成されたテーブルである。スライドテーブル２０上には、図２〜図５、及び図７に示すように、回転テーブル３０を車両前向き位置から車両横向き位置（左向き位置）まで約90°水平回転させる回転機構２３が設けられている。回転機構２３は、図７に示すように、相対回転可能に構成された内輪２３ｅと外輪２３ｒとを備えており、外輪２３ｒの外周面に歯車が形成されている。回転機構２３の内輪２３ｅは、スライドテーブル２０に固定されており、外輪２３ｒは回転テーブル３０に固定されている。スライドテーブル２０の上面には、回転機構２３の駆動源となるモータ及び歯車機構（図示省略）が設けられており、前記歯車機構の歯車が外輪２３ｒの歯車と噛合している。
【００２５】
スライドテーブル２０の右端位置には、図７に示すように、スライドロック機構７０（後記する）のストライカ７２が設けられている。ストライカ７２は、車幅方向（左右方向）に延びる横軸状のストライカ本体部７２ｊと、ストライカ本体部７２ｊの軸方向における一端側と他端側とを後端位置で支持する軸受架台７２ｂとから構成されている。また、ストライカ７２の軸受架台７２ｂの車両前後方向における中央部には、係合解除機構８０（後記する）の係合解除ブラケット８５（図８参照）の回転中心軸８５ｊが通される貫通孔７２ｈが形成されている。
【００２６】
＜回転テーブル３０について＞
回転テーブル３０は、前記シート本体６０を昇降スライドさせる昇降スライド装置４０とを支持するテーブルであり、上記したように、車両前向き位置から車両横向き位置まで約90°水平回転できるように構成されている。
【００２７】
＜昇降スライド装置４０について＞
昇降スライド装置４０は、図３〜図５に示すように、スライド部材４１と、昇降スライド機構４３と、左右一対の四節リンク機構４５と、昇降ベース５０とを備えている。スライド部材４１は、シート前後方向にスライド可能な状態で回転テーブル３０上に設置されており、昇降スライド機構４３の動作を受けてシート前後方向にスライドできるように構成されている。昇降スライド機構４３は、図２に示すように、台形ネジ４３ｗとナット４３ｎとの螺合作用を利用した駆動機構であり、台形ネジ４３ｗが回転テーブル３０側に支持され、ナット４３ｎがスライド部材４１側に固定されている。
【００２８】
スライド部材４１には、図３〜図５に示すように、左右一対の四節リンク機構４５の基端部が上下回動可能なように連結されている。また、左右一対の四節リンク機構４５の先端部が昇降ベース５０に上下回動可能な状態で連結されている。そして、昇降ベース５０上に外スライド機構５５を介してシート本体６０が設置されている。上記構成により、図５に示すように、スライド部材４１が昇降スライド機構４３の動作によりシート前方向にスライドすると、左右一対の四節リンク機構４５がシート本体６０等の重量で下方に回動し、昇降ベース５０とシート本体６０は前進しつつ下降する。また、図５に示す状態からスライド部材４１がシート後方向にスライドすると、左右一対の四節リンク機構４５が後退しつつ上方に回動して、昇降ベース５０とシート本体６０は回転テーブル３０上に戻される（図３等参照）。
【００２９】
＜シート本体６０について＞
シート本体６０は、図３、図４に示すように、昇降スライド装置４０の昇降ベース５０に対してシート前後方向にスライド可能な状態で、前記昇降ベース５０上に設置されている。シート本体６０は、図２等に示すように、シートフレーム６２とシートクッション６４とシートバック６６とを備えている。シート本体６０のシートフレーム６２は、図９に示すように、左右のフレーム側壁部６２ｗと、左右のフレーム側壁部６２ｗをつなぐ連結梁部６２ｈとを備えている。そして、シートフレーム６２の下面側で右側のフレーム側壁部６２ｗの近傍に外スライド機構５５のラック５５ｒがシート前後方向に延びるように取付けられている。
【００３０】
外スライド機構５５は、シート本体６０を昇降スライド装置４０の昇降ベース５０に対してシート前後方向にスライドさせるための機構である。外スライド機構５５は、図２に示すように、上記したシートフレーム６２側のラック５５ｒと、前記昇降ベース５０上に設置されたモータにより回転させられるピニオン５５ｐとから構成されている。シートフレーム６２には、図９に示すように、右側のフレーム側壁部６２ｗの後部外側にシートベルト用ブラケット６３が取付けられている。シートベルト用ブラケット６３は、図１０に示すように、シートベルト６８のアンカープレート６８ｐがボルト止めされるブラケットであり、そのシートベルト用ブラケット６３にスライドロック機構７０のフック７５が上下回動可能な状態で連結されている。
【００３１】
＜スライドロック機構７０について＞
スライドロック機構７０は、シート本体６０が車両前向きの着座位置にある状態で車両が前方衝突したときに、シート本体６０が車両フロアＦに対して前方へ移動するのを規制する機構である。スライドロック機構７０は、図１０に示すように、シート本体６０のシートフレーム６２に設けられたフック７５と、スライドテーブル２０上に設けられ、前記フック７５が係合可能に構成されたストライカ７２とを備えている。
【００３２】
＜フック７５について＞
フック７５は、図９〜図１１等に示すように、シートフレーム６２に沿って後方に延びる縦板状のフック本体部７５ｍと、フック本体部７５ｍの先端（後端）で斜め前下方に突出するように形成された片鎌状の鉤部７５ｋとを備えている。そして、フック本体部７５ｍの下面と、その下面から連続する鉤部７５ｋの前面にかけて、図１１に示すように、横軸状のストライカ本体部７２ｊに上方から掛けられる掛かり面７５ｆが形成されている。フック７５は、フック本体部７５ｍの基端部（前端部）が連結軸７６によってシートフレーム６２のシートベルト用ブラケット６３に上下回動可能な状態で連結されている。
【００３３】
フック７５（フック本体部７５ｍ）の基端部の下側には、バネ受け部７５ｂが形成されており、そのバネ受け部７５ｂにコイルバネ７７の一端が掛けられている。コイルバネ７７は、フック７５を係合方向に回動（図１１において右回動）させるように付勢されており、そのコイルバネ７７の他端がシートベルト用ブラケット６３のバネ受け部６３ｂに掛けられている。
【００３４】
フック７５（フック本体部７５ｍ）の基端部（前端部）の近傍には、図１１に示すように、フック本体部７５ｍの側面から水平に突出する突出ピン７８が設けられている。突出ピン７８は、係合解除機構８０（後記する）の係合解除ブラケット８５からの押上力を受けられるように構成されている。また、フック７５の先端部（後端部）は、矢じり状に先細となるように形成されており、鉤部７５ｋの先端面（後面）が先端側で高くなるように傾斜した傾斜面７５ｃとなっている。
【００３５】
＜ストライカ７２について＞
スライドロック機構７０のストライカ７２は、図７、及び図１０、図１１に示すように、スライドテーブル２０上の右端所定位置に設置されている。ストライカ７２は、横軸状のストライカ本体部７２ｊと、そのストライカ本体部７２ｊを支持する軸受架台７２ｂとから構成されている。軸受架台７２ｂは、図７に示すように、車両前後方向に延びる平行な一対の山形縦壁部を備えており、一対の山形縦壁部の後部間に横軸状のストライカ本体部７２ｊが渡されている。これにより、ストライカ本体部７２ｊは、車幅方向（左右方向）に水平に延びるように所定位置に位置決めされた状態で、軸受架台７２ｂに支持されている。スライドロック機構７０のフック７５は、図１０、図１１に示すように、シート本体６０が車両前向きの着座位置まで戻された状態で、コイルバネ７７のバネ力によりストライカ７２（ストライカ本体部７２ｊ）と係合できるように構成されている。
【００３６】
ここで、フック７５とストライカ７２（ストライカ本体部７２ｊ）との係合は、図１１に示すように、フック７５がコイルバネ７７のバネ力により上方所定位置から下回動（右回動）することにより行なわれる。これにより、フック７５（鉤部７５ｋ）の掛かり面７５ｆの先端は、ストライカ本体部７２ｊの外周面の後端位置から前記外周面に沿って下前方に移動するようになる。そして、フック７５（フック本体部７５ｍ）の下面がストライカ本体部７２ｊの外周面に当接した状態でフック７５がほぼ水平に保持され、フック７５とストライカ７２とがシート本体６０の前進方向において係合する。これにより、フック７５の鉤部７５ｋの掛かり面７５ｆとストライカ７２（ストライカ本体部７２ｊ）の外周面間のシート本体６０の前進方向における隙間を最小限にできる。また、シート本体６０を車両前向きの着座位置から移動させる際は、スライドテーブル２０が後進スライドし、係合解除機構８０が動作することで、フック７５とストライカ７２との係合状態が解除される。
【００３７】
＜係合解除機構８０について＞
係合解除機構８０は、スライドテーブル２０が原位置から後退限位置まで後スライドする過程で、スライドロック機構７０のフック７５をバネ力に抗して上回動させ、フック７５とストライカ７２との係合状態を解除する機構である。係合解除機構８０は、図１０等に示すように、スライドテーブル２０に取付けられた係合解除ブラケット８５と、固定ベース１２の右側内壁面に固定されたカムプレート８２とを備えている。
【００３８】
＜係合解除ブラケット８５について＞
係合解除ブラケット８５は、図８に示すように、略菱形に成形された枠状のブラケット本体部８５ｍと、そのブラケット本体部８５ｍの下端部でブラケット本体部８５ｍに対してほぼ直角に設けられた回転中心軸８５ｊとを備えている。係合解除ブラケット８５の回転中心軸８５ｊは、軸受８６を介してスライドテーブル２０に設けられたストライカ７２（軸受架台７２ｂ）の貫通孔７２ｈとＬ字支持金具８７の貫通孔８７ｈとに通されている。これにより、係合解除ブラケット８５は、回転中心軸８５ｊを中心に上下回動が可能になる。
【００３９】
係合解除ブラケット８５の回転中心軸８５ｊの回りには、係合解除ブラケット８５を倒伏位置、即ち、図８、図１０等における右回動限位置に保持する保持バネ８８が装着されている。保持バネ８８は、図８に示すように、一端が係合解除ブラケット８５のピン状バネ受け部８５ｂに掛けられており、他端がＬ字支持金具８７のバネ受け部８７ｂに掛けられている。
【００４０】
係合解除ブラケット８５には、図８等に示すように、ピン状バネ受け部８５ｂの反対側の位置に軸状のカムフォロア８５ｆが同軸に形成されている。また、係合解除ブラケット８５には、回動自由端位置にスライドロック機構７０のフック７５に設けられた突出ピン７８を押し上げる押圧面８５ｐが形成されている。ここで、係合解除ブラケット８５は、図８に示すように、ストライカ７２（軸受架台７２ｂ）に対してシート本体６０の幅方向において外側に配置されている。しかし、図１０、図１２〜図１６では、係合解除機構８０の動作を分かり易くするため、係合解除ブラケット８５、及びカムフォロア８５ｆをストライカ７２よりも手前側（内側）に表示している。
【００４１】
＜カムプレート８２について＞
係合解除機構８０のカムプレート８２は、スライドテーブル２０が原位置と後退限位置間で前後スライドする際、係合解除ブラケット８５のカムフォロア８５ｆをガイドする部材である。カムプレート８２は、図６、及び図１０等に示すように、スライドテーブル２０を前後スライド可能に支持する固定ベース１２に取付けられている。カムプレート８２は、略角形に形成されたプレートであり、スライドテーブル２０のスライド方向に沿って立設されている。そして、カムプレート８２には、図１０等に示すように、そのカムプレート８２の前上角部にカム面８２ｃが形成されている。カム面８２ｃは、後側が高くなるように一定角度で傾斜した傾斜面状に形成されており、係合解除ブラケット８５のカムフォロア８５ｆが当接可能に構成されている。
【００４２】
このため、スライドテーブル２０が原位置から一定距離だけ後スライドすると、図１２に示すように、スライドテーブル２０の係合解除ブラケット８５のカムフォロア８５ｆが固定ベース１２のカムプレート８２のカム面８２ｃに当接する。そして、この状態からさらにスライドテーブル２０が後スライドすると、係合解除ブラケット８５のカムフォロア８５ｆは、図１３に示すように、カムプレート８２のカム面８２ｃに沿って上方に移動する。これにより、係合解除ブラケット８５が保持バネ８８のバネ力に抗して起立方向に回動（図１３において左回動）する。この結果、係合解除ブラケット８５の押圧面８５ｐがスライドロック機構７０のフック７５の突出ピン７８を押し上げ、フック７５がコイルバネ７７のバネ力に抗して上回動（図１３において左回動）する。これにより、スライドロック機構７０のフック７５とストライカ７２との係合が解除される。
【００４３】
＜車両用シート１０の動作について＞
次に、車両用シート１０の動作について説明する。車両用シート１０のシート本体６０が車両前向きの着座位置にある状態では、スライドテーブル２０が原位置に保持されている。この状態では、図１０、図１１に示すように、シート本体６０に設けられたスライドロック機構７０のフック７５は、スライドテーブル２０上のストライカ７２（ストライカ本体部７２ｊ）とシート本体６０の前進方向において係合している。即ち、フック７５（フック本体部７５ｍ）の下面がストライカ本体部７２ｊの外周面に当接した状態で、フック７５の鉤部７５ｋの掛かり面７５ｆとストライカ本体部７２ｊの外周面間の隙間が最小限に保持されている。このため、例えば、車両前方衝突時の衝突荷重によりシート本体６０が前方に移動しようとすると、衝突荷重はフック７５からストライカ７２に伝達され、ストライカ７２からスライドテーブル２０、固定ベース１２を介して車両フロアＦに伝達される。これにより、車両前方衝突時のシート本体６０の前方移動量が最小限に抑えられる。
【００４４】
シート本体６０が着座位置から車室外の乗降位置まで移動する場合には、先ず、スライド駆動機構１６が動作してスライドテーブル２０が原位置から後スライドする。これにより、図１２に示すように、スライドテーブル２０の係合解除ブラケット８５のカムフォロア８５ｆが固定ベース１２に設けられたカムプレート８２のカム面８２ｃに当接する。そして、この状態からさらにスライドテーブル２０が後スライドすると、係合解除ブラケット８５のカムフォロア８５ｆは、図１３に示すように、カムプレート８２のカム面８２ｃに沿って上方に移動する。これにより、係合解除ブラケット８５が保持バネ８８のバネ力に抗して起立方向に回動（図１３において左回動）し、係合解除ブラケット８５の押圧面８５ｐがフック７５の突出ピン７８を押し上げる。この結果、フック７５がコイルバネ７７のバネ力に抗して上回動（図１３において左回動）する。そして、スライドテーブル２０が後退限位置まで後進スライドした段階で、フック７５とストライカ７２との係合が解除される。
【００４５】
次に、スライドテーブル２０が後退限位置にある状態で、昇降スライド装置４０の昇降スライド機構４３が動作してスライド部材４１が回転テーブル３０上を一定距離だけ前方にスライドする。これにより、図１４に示すように、シート本体６０がスライドテーブル２０に対して前進し、シート本体６０側のフック７５の突出ピン７８が係合解除ブラケット８５の押圧面８５ｐに沿って前方に摺動する。これにより、フック７５は姿勢を保持した状態でストライカ７２（ストライカ本体部７２ｊ）上を前方に通過する。そして、フック７５の突出ピン７８が係合解除ブラケット８５の押圧面８５ｐから離れると、フック７５はコイルバネ７７のバネ力で水平な係合位置まで下回動する。次に、回転機構２３が動作することで、回転テーブル３０が水平回転し、シート本体６０が徐々に左方向に向けられる。このときの、シート本体６０側のフック７５とスライドテーブル２０側のストライカ７２等の関係を表わした模式図が図１５である。
【００４６】
次に、回転テーブル３０の回転途中でスライドテーブル２０が後退限位置から原位置まで前進スライドする。これにより、図１６に示すように、スライドテーブル２０に設けられた係合解除ブラケット８５のカムフォロア８５ｆが固定ベース１２のカムプレート８２のカム面８２ｃに沿って下方に移動し、係合解除ブラケット８５が保持バネ８８のバネ力で倒伏方向に回動（図１６で右回動）する。さらに、係合解除ブラケット８５のカムフォロア８５ｆが固定ベース１２のカムプレート８２のカム面８２ｃから離れるようになる。次に、昇降スライド装置４０の昇降スライド機構４３がスライド部材４１を回転テーブル３０上の元の位置まで後方スライドさせた後、前記スライドテーブル２０がスライド駆動機構１６の動作により原位置から所定位置まで前進スライドする。
【００４７】
そして、シート本体６０が、図３に示すように、車両横向き位置まで回動して回転機構２３が停止し、前記スライドテーブル２０が所定位置で停止すると、昇降スライド装置４０の昇降スライド機構４３が再び動作する。さらに、外スライド機構５５が動作する。これにより、図４、図５に示すように、シート本体６０が昇降スライド装置４０の昇降ベース５０に対して前進するとともに、昇降スライド装置４０の左右一対の四節リンク機構４５がスライド部材４１と共に前進しつつ下方に回動する。この結果、シート本体６０が乗降位置まで移動する。
【００４８】
シート本体６０が車室外の乗降位置から車室内の着座位置まで移動する場合には、昇降スライド機構４３、外スライド機構５５、回転機構２３、及びスライド駆動機構１６が上記とほぼ逆方向に動作する。ここで、着座位置の近傍では、シート本体６０は、原位置のスライドテーブル２０に対し、昇降スライド機構４３の動作により後退する。これにより、シート本体６０側に設けられたフック７５の鉤部７５ｋの傾斜面７５ｃがスライドテーブル２０側のストライカ本体部７２ｊの外周面に当接して摺動する。これにより、フック７５がコイルバネ７７のバネ力に抗して上回動する。そして、シート本体６０が着座位置まで後退した状態で、フック７５（鉤部７５ｋ）の傾斜面７５ｃがストライカ本体部７２ｊを乗り越える。これにより、フック７５の鉤部７５ｋがコイルバネ７７のバネ力でストライカ本体部７２ｊに上方から掛けられ、フック７５とストライカ本体部７２ｊとはシート本体６０の前進方向において係合する。
【００４９】
＜本実施形態に係る車両用シート１０の長所について＞
本実施形態に係る車両用シート１０によると、シート本体６０が車両前向きの着座位置にあるときに、シート本体６０のフック７５（係合部）は、スライドテーブル２０に設けられたストライカ７２（被係合部）に対してシート本体６０の前進方向において係合している。即ち、車両の衝突前であってもシート本体６０のフック７５がスライドテーブル２０のストライカ７２と係合している。このため、車両衝突時の衝突荷重がシート本体６０に加わると、シート本体６０が前方にほとんど移動しなくてもその衝突荷重がフック７５からストライカ７２に伝達され、ストライカ７２からスライドテーブル２０、固定ベース１２を介して車両フロアＦに伝達される。これにより、車両衝突時におけるシート本体６０の前方移動量が最小限に抑えられる。また、スライドテーブル２０が後退限位置まで後退することで、シート本体６０のフック７５が係合解除機構８０の働きで係合解除位置まで移動する。このため、シート本体６０が着座位置から乗降位置まで移動する際に、フック７５がシート本体６０の移動を妨げることがない。
【００５０】
また、フック７５がコイルバネ７７のバネ力（弾性力）によりシート本体６０に対して下回動することで、鉤部７５ｋの掛かり面７５ｆの先端がストライカ本体部７２ｊの外周面の後端位置から前記外周面に沿って下前方に移動し、フック７５はストライカ本体部７２ｊとシート本体６０の前進方向において係合する。このため、フック７５の鉤部７５ｋの掛かり面７５ｆとストライカ本体部７２ｊの外周面間の隙間を最小限にできる。
【００５１】
また、シート本体６０に設けられたフック７５は、外スライド機構５５、昇降ベース５０、四節リンク機構４５、昇降スライド機構４３、及び回転テーブル３０を跨いでスライドテーブル２０のストライカ７２と係合する。このため、シート本体６０に加わる衝突荷重を速やかに車両フロアＦに伝達できるようになる。また、フック７５は、シート本体６０においてシートベルト６８の基端部が連結されるシートベルト用ブラケット６３に連結されている。このため、車両衝突時にシートベルト６８に加わる荷重を確実にフック７５に伝達できるようになる。また、シート本体６０が着座位置まで戻ることで、シート本体６０のフック７５が自動的にスライドテーブル２０のストライカ７２と係合できるようになる。
【００５２】
＜変更例＞
ここで、本発明は上記実施形態に限定されるものではなく、本発明の要旨を逸脱しない範囲における変更が可能である。例えば、本実施形態では、スライドロック機構７０のフック７５とストライカ７２との係合を解除する係合解除機構８０を係合解除ブラケット８５とカムプレート８２とから構成する例を示した。しかし、フック７５側にカムフォロアを設け、前記カムフォロアとカムプレート８２とにより、スライドテーブル２０の後スライド時にフック７５を係合解除方向に回動させる構成でも可能である。また、本実施形態では、フック７５をストライカ７２に対して上方から回動させて、フック７５とストライカ７２とをシート本体６０の前進方向において係合させる例を示した。しかし、フック７５をストライカ７２に対して下方から回動させて係合させる構成でも可能である。また、本実施形態では、回転テーブル３０上に昇降スライド装置４０を備える車両用シート１０を例示したが、昇降スライド装置４０を有しない車両用シートに本発明を適用することも可能である。
【符号の説明】
【００５３】
２０・・・・スライドテーブル
３０・・・・回転テーブル
４０・・・・昇降スライド装置
４３・・・・昇降スライド機構（シートスライド機構）
４５・・・・四節リンク機構
５５・・・・外スライド機構（シートスライド機構）
６０・・・・シート本体
６２・・・・シートフレーム
６３・・・・シートベルト用ブラケット
６８・・・・シートベルト
７０・・・・スライドロック機構
７２・・・・ストライカ（被係合部）
７２ｊ・・・ストライカ本体部
７５・・・・フック（係合部）
７５ｋ・・・鉤部
７５ｆ・・・掛かり面
７５ｃ・・・傾斜面
８０・・・・係合解除機構
８２・・・・カムプレート
８２ｃ・・・カム面
８５・・・・係合解除ブラケット
８５ｆ・・・カムフォロア
【図１】
0006347491.tif 000002
【図２】
0006347491.tif 000003
【図３】
0006347491.tif 000004
【図４】
0006347491.tif 000005
【図５】
0006347491.tif 000006
【図６】
0006347491.tif 000007
【図７】
0006347491.tif 000008
【図８】
0006347491.tif 000009
【図９】
0006347491.tif 000010
【図１０】
0006347491.tif 000011
【図１１】
0006347491.tif 000012
【図１２】
0006347491.tif 000013
【図１３】
0006347491.tif 000014
【図１４】
0006347491.tif 000015
【図１５】
0006347491.tif 000016
【図１６】
0006347491.tif 000017
【図１７】
0006347491.tif 000018